(57)【要約】  入居者の状態に応じて適切な対応が可能になるようにケア項目のデータを表示する技術を提供する。管理サーバーのＣＰＵが実行する処理は、表示対象となるバイタルデータの数が予め設定された数以上であるか否かを判断するステップ（Ｓ９１０）と、当該バイタルデータの数が予め設定された値以上である場合に、自動選択を行なって、表示対象となるバイタルデータから予め定められた基準に従ってバイタルデータを選択するステップ（Ｓ９２０）と、自動選択したデータを表示対象として、モニターにグラフを表示するステップ（Ｓ９３０）と、当該バイタルデータの数が予め設定された値以上でない場合に、当該入居者に関連して計測された全てのデータをモニターに表示するステップ（Ｓ９４０）とを含む。
2020137061.tif 000002
【特許請求の範囲】
【請求項１】
コンピュータで実行される情報表示方法であって、
入居者の介護記録を構成する複数のケア項目の各々について、予め定められた期間に複数回取得された当該ケア項目のデータにアクセスするステップと、
予め定められた抽出基準に基づいて、当該ケア項目の複数のデータから、前記入居者の状態を表わす１つ以上の特徴的なデータを抽出するステップと、
前記抽出された複数の特徴的なデータを表示するステップとを含む、情報表示方法。
【請求項２】
前記表示するステップは、各ケア項目について、前記予め定められた期間に入力されたデータの数が予め設定された数以下である場合に、前記予め定められた期間に入力された全てのデータを表示することを含む、請求項１に記載の情報表示方法。
【請求項３】
前記１つ以上の特徴的なデータは、前記入居者の体温、最高血圧、最低血圧、呼吸数、脈拍数の少なくともいずれかを含む、請求項１または２に記載の情報表示方法。
【請求項４】
前記１つ以上の特徴的なデータは、前記期間における最大値、最小値、最新値、最古値、および、連続する２つの値の変化率の最大値のいずれかを含む、請求項１〜３のいずれかに記載の情報表示方法。
【請求項５】
予め定められた期間は、一日を含み、
前記表示するステップは、前記１つ以上のデータと、当該データが取得された時刻とを表示することを含む、請求項１〜４のいずれかに記載の情報表示方法。
【請求項６】
予め定められた期間は、一日を含み、
前記表示するステップは、当該入居者の一日の行動を表わす情報を、前記特徴的なデータと共に表示することを含む、請求項１〜５のいずれかに記載の情報表示方法。
【請求項７】
前記一日の行動は、食事、水分摂取、服薬、運動、および排泄のいずれかを含む、請求項６に記載の情報表示方法。
【請求項８】
前記表示するステップは、タイムスパンの異なる２つの期間で表示を切り替えるステップを含む、請求項１〜７のいずれかに記載の情報表示方法。
【請求項９】
前記表示を切り替えるステップは、指定された一日における前記特徴的なデータを表示することと、指定された一週間における前記特徴的なデータを表示することとの間で表示を切り替えることとを含む、請求項８に記載の情報表示方法。
【請求項１０】
抽出対象となるケア項目の選択を受け付けるステップをさらに含み、
前記アクセスするステップは、選択されたケア項目のデータにアクセスすることを含む、請求項１〜９のいずれかに記載の情報表示方法。
【請求項１１】
ケア項目のデータが予め定められた基準から逸脱したことに基づいて、当該ケア項目を選択対象として表示するステップをさらに含む、請求項１０に記載の情報表示方法。
【請求項１２】
請求項１〜１１のいずれかに記載の情報表示方法をコンピュータに実行させる、プログラム。
【請求項１３】
請求項１２に記載のプログラムを格納したメモリと、
前記プログラムを実行するためのプロセッサとを備える、情報表示装置。
【発明の詳細な説明】
【技術分野】
【０００１】
本開示は情報を表示する技術に関し、より特定的には、複数の情報から特徴を示す情報を表示する技術に関する。
【背景技術】
【０００２】
介護施設が増えるにつれて監視対象となる入居者（以下「被介護者」ともいう。）の数が増えている。そのため、介護や看護の記録の負担を軽減する技術が必要とされている。例えば、国際公開第２０１８／００３４６３号（特許文献１）は、「看介護記録の手間や時間をより軽減できる被監視者監視システム」を開示している（段落０００９参照）。【０００３】
また、記録されたデータを状況に応じて提示する技術が知られている。たとえば、特開２００７−２０００３０号公報（特許文献２）は、「オーダと連携した温度板を作成する医療情報管理装置」を開示している（段落０００４参照）。
【先行技術文献】
【特許文献】
【０００４】
【特許文献１】国際公開第２０１８／００３４６３号
【特許文献２】特開２００７−２０００３０号公報
【発明の概要】
【発明が解決しようとする課題】
【０００５】
介護者や医療従事者等の介護施設のスタッフは、必要に応じて、記録されたデータを参照して、各入居者の状態を把握する。記録されたデータは、血圧値その他の所謂バイタルデータ、食事の量その他各入居者の状態を表わす様々な項目（以下「ケア項目」ともいう。）を含む。これらのデータは、定期的に記録されるため、多くのデータ項目が蓄積される。スタッフは、発熱時など体調変化の監視が必要な入居者に対し、記録されている各データから、１日の体調の変化を読み取ることを希望する場合がある。したがって、必要に応じて各入居者の情報が適切に提示される技術が必要とされている。【０００６】
本開示は上述のような背景に鑑みてなされたものであって、入居者の情報が適切に提示される技術が提供される。
【課題を解決するための手段】
【０００７】
ある実施の形態に従うと、入居者のデータを表示するためにコンピュータで実行される情報表示方法が提供される。この方法は、入居者の介護記録を構成する複数のケア項目の各々について、予め定められた期間に複数回取得された当該ケア項目のデータにアクセスするステップと、予め定められた抽出基準に基づいて、当該ケア項目の複数のデータから、入居者の状態を表わす１つ以上の特徴的なデータを抽出するステップと、抽出された複数の特徴的なデータを表示するステップとを含む。【０００８】
ある局面において、表示するステップは、各ケア項目について、予め定められた期間に入力されたデータの数が予め設定された数以下である場合に、予め定められた期間に入力された全てのデータを表示することを含む。【０００９】
ある局面において、１つ以上の特徴的なデータは、入居者の体温、最高血圧、最低血圧、呼吸数、脈拍数の少なくともいずれかを含む。【００１０】
ある局面において、１つ以上の特徴的なデータは、期間における最大値、最小値、最新値、最古値、および、連続する２つの値の変化率の最大値のいずれかを含む。【００１１】
ある局面において、予め定められた期間は、一日を含む。表示するステップは、１つ以上のデータと、当該データが取得された時刻とを表示することを含む。【００１２】
ある局面において、予め定められた期間は、一日を含む。表示するステップは、当該入居者の一日の行動を表わす情報を、特徴的なデータと共に表示することを含む。【００１３】
ある局面において、一日の行動は、食事、水分摂取、服薬、運動、および排泄のいずれかを含む。【００１４】
ある局面において、表示するステップは、タイムスパンの異なる２つの期間で表示を切り替えるステップを含む。【００１５】
ある局面において、表示を切り替えるステップは、指定された一日における特徴的なデータを表示することと、指定された一週間における特徴的なデータを表示することとの間で表示を切り替えることとを含む。【００１６】
ある局面において、上記方法は、抽出対象となるケア項目の選択を受け付けるステップをさらに含む。アクセスするステップは、選択されたケア項目のデータにアクセスすることを含む。【００１７】
ある局面において、上記方法は、ケア項目のデータが予め定められた基準から逸脱したことに基づいて、当該ケア項目を選択対象として表示することをさらに含む。【００１８】
他の実施の形態に従うと、上記のいずれかに記載の情報表示方法をコンピュータに実行させるプログラムが提供される。【００１９】
さらに他の局面に従うと、上記のプログラムを格納したメモリと、プログラムを実行するためのプロセッサとを備える、情報表示装置が提供される。【００２０】
本開示によれば、入居者（被介護者）の介護記録を構成するケア項目の情報が適切に提示され得る。【００２１】
この発明の上記および他の目的、特徴、局面および利点は、添付の図面と関連して理解されるこの発明に関する次の詳細な説明から明らかとなるであろう。
【図面の簡単な説明】
【００２２】
【図１】見守りシステム１００の構成の一例を示す図である。
【図２】見守りシステム１００の構成の概要を示すブロック図である。
【図３】クラウドサーバー１５０として機能するコンピューターシステム３００のハードウェア構成を表わすブロック図である。
【図４】センサーボックス１１９を用いた見守りシステム１００の装置構成の概略の一例を示す図である。
【図５】クラウドサーバー１５０が備えるハードディスク５におけるデータの格納の一態様を表わす図である。
【図６】検査によって取得された体温を計測時間に応じてプロットした状態を表わすグラフである。
【図７】別の局面において検査によって取得された体温を計測時間に応じてプロットした状態を表わすグラフである。
【図８】さらに別の局面において検査によって取得された体温を計測時間に応じてプロットした状態を表わすグラフである。
【図９】管理サーバー２００が備えるＣＰＵ１が実行する処理の一部を表わすフローチャートである。
【図１０】管理サーバー２００が備えるモニター８に表示される画面の一例を表わす図である。
【図１１】他の局面においてモニター８に表示される画面の一例を表わす図である。
【図１２】他の局面にしたがって表示される画面の一例を表わす図である。
【図１３】さらに別の局面にしたがってモニター８に表示される画面を表わす図である。
【図１４】さらに別の局面にしたがってモニター８に表示されるが面を表わす図である。
【発明を実施するための形態】
【００２３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２４】
［見守りシステムの構成］
図１は、見守りシステム１００の構成の一例を示す図である。見守り対象は、例えば、施設の居室領域１８０に設けられた各居室内の入居者である。図１の見守りシステム１００では、居室領域１８０に、居室１１０，１２０が設けられている。居室１１０は、入居者１１１に割り当てられている。居室１２０は、入居者１２１に割り当てられている。図１の例では、見守りシステム１００に含まれる居室の数は２であるが、当該数はこれに限定されない。
【００２５】
見守りシステム１００では、居室１１０，１２０にそれぞれ設置されたセンサーボックス１１９と、管理センター１３０に設置された管理サーバー２００と、アクセスポイント１４０とが、ネットワーク１９０を介して接続される。ネットワーク１９０は、イントラネットおよびインターネットのいずれをも含み得る。
【００２６】
見守りシステム１００では、介護者１４１が携帯する携帯端末１４３、および、介護者１４２が携帯する携帯端末１４４は、アクセスポイント１４０を介してネットワーク１９０に接続可能である。さらに、センサーボックス１１９、管理サーバー２００、および、アクセスポイント１４０は、ネットワーク１９０を介して、クラウドサーバー１５０と通信可能である。
【００２７】
居室１１０，１２０は、それぞれ、設備として、タンス１１２、ベッド１１３、および、トイレ１１４を含む。居室１１０のドアには、当該ドアの開閉を検出するドアセンサー１１８が設置されている。トイレ１１４のドアには、トイレ１１４の開閉を検出するトイレセンサー１１６が設置されている。ベッド１１３には、各入居者１１１，１２１の臭いを検出する臭いセンサー１１７が設置されている。各入居者１１１，１２１は、当該入居者１１１，１２１のバイタル情報を検出するバイタルセンサー２９０を装着している。検出されるバイタル情報は、入居者の体温、呼吸、心拍数等を含む。居室１１０，１２０では、各入居者１１１，１２１は、それぞれ、ケアコール子機１１５を操作することができる。
【００２８】
センサーボックス１１９は、居室１１０，１２０内の物体の挙動を検出するためのセンサーを内蔵している。センサーの一例は、物体の動作を検出するためのドップラーセンサーである。他の例は、カメラである。センサーボックス１１９は、センサーとしてドップラーセンサーとカメラの双方を含んでもよい。
【００２９】
図２を参照して、見守りシステム１００の構成要素について説明する。図２は、見守りシステム１００の構成の概要を示すブロック図である。
【００３０】
［センサーボックス１１９］
センサーボックス１１９は、制御装置１０１と、ＲＯＭ（Read  Only  Memory）１０２と、ＲＡＭ（Random  Access  Memory）１０３と、通信インターフェイス１０４と、カメラ１０５と、ドップラーセンサー１０６と、無線通信装置１０７と、記憶装置１０８とを備える。
【００３１】
制御装置１０１は、センサーボックス１１９を制御する。制御装置１０１は、たとえば、少なくとも１つの集積回路によって構成される。集積回路は、たとえば、少なくとも１つのＣＰＵ（Central  Processing  Unit）、ＭＰＵ（Micro  Processing  Unit）その他のプロセッサー、少なくとも１つのＡＳＩＣ（Application  Specific  Integrated  Circuit）、少なくとも１つのＦＰＧＡ（Field  Programmable  Gate  Array）、またはこれらの組み合わせなどによって構成される。
【００３２】
通信インターフェイス１０４には、アンテナ（図示しない）などが接続される。センサーボックス１１９は、当該アンテナを介して、外部の通信機器との間でデータをやり取りする。外部の通信機器は、たとえば、管理サーバー２００、携帯端末１４３，１４４その他の端末、アクセスポイント１４０、クラウドサーバー１５０、その他の通信端末などを含む。
【００３３】
カメラ１０５は、一実現例では、近赤外カメラである。近赤外カメラは、近赤外光を投光するＩＲ（Infrared）投光器を含む。近赤外カメラが用いられることにより、夜間でも居室１１０，１２０の内部を表わす画像が撮影され得る。他の実現例では、カメラ１０５は、可視光のみを受光する監視カメラである。さらに他の実現例では、カメラ１０５として、３Ｄセンサやサーモグラフィーカメラが用いられてもよい。センサーボックス１１９およびカメラ１０５は、一体として構成されてもよいし、別体で構成されてもよい。
【００３４】
ドップラーセンサー１０６は、たとえばマイクロ波ドップラーセンサーであり、電波を放射及び受信して、居室１１０，１２０内の物体の挙動（動作）を検出する。これにより、居室１１０，１２０の入居者１１１，１２１の生体情報が検出され得る。一例では、ドップラーセンサー１０６は、２４ＧＨｚ帯のマイクロ波を各居室１１０，１２０のベッド１１３に向けて放射し、入居者１１１，１２１で反射した反射波を受信する。反射波は、入居者１１１，１２１の動作により、ドップラーシフトしている。ドップラーセンサー１０６は、当該反射波から、入居者１１１，１２１の呼吸状態や心拍数を検出し得る。
【００３５】
無線通信装置１０７は、ケアコール子機２４０、ドアセンサー１１８、トイレセンサー１１６、臭いセンサー１１７、および、バイタルセンサー２９０からの信号を受信し、当該信号を制御装置１０１へ送信する。たとえば、ケアコール子機２４０は、ケアコールボタン２４１を備える。当該ボタンが操作されると、ケアコール子機２４０は、当該操作があったことを示す信号を無線通信装置１０７へ送信する。ドアセンサー１１８、トイレセンサー１１６、臭いセンサー１１７、および、バイタルセンサー２９０は、それぞれの検出結果を無線通信装置１０７へ送信する。
【００３６】
記憶装置１０８は、たとえば、フラッシュメモリーまたはハードディスク等の固定記憶装置、あるいは、外付けの記憶装置などの記録媒体である。記憶装置１０８は、制御装置１０１によって実行されるプログラム、および、当該プログラムの実行に利用される各種のデータを格納する。各種のデータは、入居者１１１，１２１の行動情報を含んでいてもよい。行動情報の詳細は後述する。
【００３７】
上記のプログラムおよびデータのうち少なくとも一方は、制御装置１０１がアクセス可能な記憶装置であれば、記憶装置１０８以外の記憶装置（たとえば、制御装置１０１の記憶領域（たとえば、キャッシュメモリーなど）、ＲＯＭ１０２、ＲＡＭ１０３、外部機器（たとえば、管理サーバー２００や携帯端末１４３，１４４等）に格納されていてもよい。
【００３８】
［行動情報］
上記の行動情報について説明する。行動情報は、たとえば入居者１１１，１２１が所定の行動を実行したことを表わす情報である。一例では、所定の行動は、入居者１１１，１２１が起きたことを表わす「起床」、入居者１１１，１２１がベッド（寝具）１１３から離れたことを表わす「離床」、入居者１１１，１２１がベッド（寝具）１１３から落ちたことを表わす「転落」、および、入居者１１１，１２１が倒れたことを表わす「転倒」の４つの行動を含む。
【００３９】
一実施の形態では、制御装置１０１が、各居室１１０，１２０に設置されたカメラ１０５が撮像した画像に基づいて、各居室１１０，１２０に関連付けられた入居者１１１，１２１の各行動情報を生成する。制御装置１０１は、たとえば、上記画像から入居者１１１，１２１の頭部を検出し、この検出した入居者１１１，１２１の頭部における大きさの時間変化に基づいて、入居者１１１，１２１の「起床」、「離床」、「転倒」および「転落」を検出する。以下、行動情報の生成の一具体例を、より詳細に説明する。
【００４０】
まず、記憶装置１０８に、居室１１０，１２０における各ベッド１１３の所在領域、第１閾値Ｔｈ１、第２閾値Ｔｈ２、および、第３閾値Ｔｈ３が格納される。第１閾値Ｔｈ１は、ベッド１１３の所在領域内において、横臥姿勢にあるときと座位姿勢にあるときとの間で入居者の頭部の大きさを識別する。第２閾値Ｔｈ２は、ベッド１１３の所在領域を除く居室１１０，１２０内において、入居者の頭部の大きさに基づいて、当該入居者が立位姿勢にあるか否かを識別する。第３閾値Ｔｈ３は、ベッド１１３の所在領域を除く居室１１０，１２０内において、入居者の頭部の大きさに基づいて、当該入居者が横臥姿勢にあるか否かを識別する。
【００４１】
制御装置１０１は、対象画像から、例えば背景差分法やフレーム差分法によって、入居者１１１，１２１の人物の領域として、動体領域を抽出する。制御装置１０１は、さらに、当該抽出した動体領域から、例えば円形や楕円形のハフ変換によって、予め用意された頭部のモデルを用いたパターンマッチングによって、頭部検出用に学習したニューラルネットワークによって導出された閾値を用いて、入居者１１１，１２１の頭部領域を抽出する。制御装置１０１は、当該抽出された頭部の位置および大きさから、「起床」、「離床」、「転倒」および「転落」を検知する。
【００４２】
制御装置１０１は、上記のように抽出された頭部の位置がベッド１１３の所在領域内にあり、かつ、上記のように抽出された頭部の大きさが第１閾値Ｔｈ１を用いることによって横臥姿勢の大きさから座位姿勢の大きさへと変化したことを検出した場合に、行動「起床」が発生したことを決定してもよい。
【００４３】
制御装置１０１は、上記のように抽出された頭部の位置がベッド１１３の所在領域内からベッド１１３の所在領域外へ移動した場合において、上記のように抽出された頭部の大きさに対して第２閾値Ｔｈ２を適用することにより、頭部がある大きさから立位姿勢の大きさへと変化したことを検出したときには、行動「離床」が発生したと判定してもよい。
【００４４】
制御装置１０１は、上記のように抽出された頭部の位置がベッド１１３の所在領域内からベッド１１３の所在領域外へ移動した場合において、上記のように抽出された頭部の大きさに対して第３閾値Ｔｈ３を適用することにより、頭部がある大きさから横臥姿勢の大きさへと変化したことを検出したときには、行動「転落」が発生したと判定してもよい。
【００４５】
制御装置１０１は、上記のように抽出された頭部の位置がベッド１１３の所在領域を除く居室１１０，１２０内に位置し、かつ、抽出された頭部の大きさが第３閾値Ｔｈ３を用いることによって或る大きさから横臥姿勢の大きさへと変化したことを検出した場合には、行動「転倒」が発生したと決定してもよい。
【００４６】
以上説明されたように、一具体例では、センサーボックス１１９の制御装置１０１が、入居者１１１，１２１の各行動情報を生成する。なお、他の局面に従う見守りシステム１００では、居室１１０，１２０内の画像を用いて、制御装置１０１以外の他の要素（例えば、クラウドサーバー１５０）が入居者１１１，１２１の行動情報を生成してもよい。
【００４７】
［携帯端末１４３，１４４］
携帯端末１４３，１４４は、制御装置２２１と、ＲＯＭ２２２と、ＲＡＭ２２３と、通信インターフェイス２２４と、ディスプレイ２２６と、記憶装置２２８と、入力デバイス２２９とを含む。ある局面において、携帯端末１４３，１４４は、例えば、スマートフォン、タブレット端末、腕時計型端末その他のウェアラブル装置等として実現される。
【００４８】
制御装置２２１は、携帯端末１４３，１４４を制御する。制御装置２２１は、たとえば、少なくとも１つの集積回路によって構成される。集積回路は、たとえば、少なくとも１つのＣＰＵ、少なくとも１つのＡＳＩＣ、少なくとも１つのＦＰＧＡ、またはそれらの組み合わせなどによって構成される。
【００４９】
通信インターフェイス２２４には、アンテナ（図示しない）などが接続される。携帯端末１４３，１４４は、当該アンテナおよびアクセスポイント１４０を介して、外部の通信機器との間でデータをやり取りする。外部の通信機器は、たとえば、センサーボックス１１９、管理サーバー２００などを含む。
【００５０】
ディスプレイ２２６は、たとえば液晶ディスプレイ、有機ＥＬ（Electro  Luminescence）ディスプレイ等によって実現される。入力デバイス２２９は、たとえばディスプレイ２２６に設けられたタッチセンサーによって実現される。当該タッチセンサーは、携帯端末１４３，１４４に対するタッチ操作を受け付け、当該タッチ操作に応じた信号を制御装置２２１へ出力する。
【００５１】
記憶装置２２８は、たとえば、フラッシュメモリー、ハードディスクその他の固定記憶装置、あるいは、着脱可能なデータ記録媒体等により実現される。
【００５２】
［クラウドサーバーの構成］
図３を参照して、クラウドサーバー１５０の構成について説明する。図３は、クラウドサーバー１５０として機能するコンピューターシステム３００のハードウェア構成を表わすブロック図である。
【００５３】
コンピューターシステム３００は、主たる構成要素として、プログラムを実行するＣＰＵ１と、コンピューターシステム３００の使用者による指示の入力を受けるマウス２およびキーボード３と、ＣＰＵ１によるプログラムの実行により生成されたデータ、又はマウス２若しくはキーボード３を介して入力されたデータを揮発的に格納するＲＡＭ４と、データを不揮発的に格納するハードディスク５と、光ディスク駆動装置６と、通信インターフェイス（Ｉ／Ｆ）７と、モニター８とを含む。各構成要素は、相互にデータバスによって接続されている。光ディスク駆動装置６には、ＣＤ−ＲＯＭ９その他の光ディスクが装着される。
【００５４】
コンピューターシステム３００における処理は、各ハードウェアおよびＣＰＵ１により実行されるソフトウェアによって実現される。このようなソフトウェアは、ハードディスク５に予め記憶されている場合がある。また、ソフトウェアは、ＣＤ−ＲＯＭ９その他の記録媒体に格納されて、コンピュータープログラムとして流通している場合もある。あるいは、ソフトウェアは、いわゆるインターネットに接続されている情報提供事業者によってダウンロード可能なアプリケーションプログラムとして提供される場合もある。このようなソフトウェアは、光ディスク駆動装置６その他の読取装置によりその記録媒体から読み取られて、あるいは、通信インターフェイス７を介してダウンロードされた後、ハードディスク５に一旦格納される。そのソフトウェアは、ＣＰＵ１によってハードディスク５から読み出され、ＲＡＭ４に実行可能なプログラムの形式で格納される。ＣＰＵ１は、そのプログラムを実行する。
【００５５】
図３に示されるコンピューターシステム３００を構成する各構成要素は、一般的なものである。したがって、本開示に係る技術思想の本質的な部分の一つは、ＲＡＭ４、ハードディスク５、ＣＤ−ＲＯＭ９その他の記録媒体に格納されたソフトウェア、あるいはネットワークを介してダウンロード可能なソフトウェアであるともいえる。記録媒体は、一時的でない、コンピューター読取可能なデータ記録媒体を含み得る。なお、コンピューターシステム３００の各ハードウェアの動作は周知であるので、詳細な説明は繰り返さない。
【００５６】
なお、記録媒体としては、ＣＤ−ＲＯＭ、ＦＤ（Flexible  Disk）、ハードディスクに限られず、磁気テープ、カセットテープ、光ディスク（ＭＯ（Magnetic  Optical  Disc）／ＭＤ（Mini  Disc）／ＤＶＤ（Digital  Versatile  Disc））、ＩＣ（Integrated  Circuit）カード（メモリーカードを含む）、光カード、マスクＲＯＭ、ＥＰＲＯＭ（Electronically  Programmable  Read-Only  Memory）、ＥＥＰＲＯＭ（Electronically  Erasable  Programmable  Read-Only  Memory）、フラッシュＲＯＭなどの半導体メモリー等の固定的にプログラムを担持する媒体でもよい。
【００５７】
ここでいうプログラムとは、ＣＰＵにより直接実行可能なプログラムだけでなく、ソースプログラム形式のプログラム、圧縮処理されたプログラム、暗号化されたプログラム等を含む。
【００５８】
図４を参照して、見守りシステム１００を用いた見守りについて説明する。図４は、センサーボックス１１９を用いた見守りシステム１００の装置構成の概略の一例を示す図である。
【００５９】
見守りシステム１００は、見守り対象者（監視対象者）である入居者１１１，１２１その他の入居者を見守るために利用される。図４に示されるように、居室１１０の天井には、センサーボックス１１９が取り付けられている。他の居室にも同様にセンサーボックス１１９が取り付けられている。
【００６０】
範囲４１０は、センサーボックス１１９による検出範囲を表わす。センサーボックス１１９が前述のドップラーセンサーを有する場合、当該ドップラーセンサーは、範囲４１０内で生じた人の挙動を検出する。センサーボックス１１９がセンサーとしてカメラを有する場合、当該カメラは、範囲４１０内の画像を撮影する。
【００６１】
センサーボックス１１９は、たとえば、介護施設、医療施設、宅内などに設置される。図４の例では、センサーボックス１１９は、天井に取り付けられており、入居者１１１およびベッド１１３を撮影している。センサーボックス１１９の取り付け場所は天井に限られず、居室１１０の側壁に取り付けられてもよい。
【００６２】
見守りシステム１００は、カメラ１０５から得られた一連の画像（すなわち、映像）に基づいて入居者１１１に生じている危険を検知する。一例として、検知可能な危険は、入居者１１１の転倒や、危険個所（たとえば、ベッドの柵など）に入居者１１１がいる状態などを含む。
【００６３】
見守りシステム１００は、入居者１１１に危険が生じていることを検知した場合に、そのことを介護者１４１，１４３等に報知する。報知方法の一例として、見守りシステム１００は、入居者１１１の危険を介護者１４１，１４２の携帯端末１４３，１４４に通知する。携帯端末１４３，１４４は、当該通知を受信すると、入居者１１１の危険をメッセージ、音声、振動等で介護者１４１，１４２に報知する。これにより、介護者１４１，１４２は、入居者１１１に危険が生じていることを即座に把握でき、入居者１１１の元に素早く駆け付けることができる。
【００６４】
なお、図４には、見守りシステム１００が１つのセンサーボックス１１９を備えている例が示されているが、見守りシステム１００は、複数のセンサーボックス１１９を備えてもよい。また、図４には、見守りシステム１００が複数の携帯端末１４３，１４４を備えている例が示されているが、見守りシステム１００は、一つの携帯端末でも実現され得る。
【００６５】
ある局面において、介護者４４０は、携帯端末４４１を用いて、入居者１１１に関する状態を記録する。ケア項目としてクラウドサーバー１５０に記録される情報は、例えば、以下のような項目を含み得るが、下記に例示される項目に限られない。
（１）食事（主食、副食）が行なわれた時刻、食事の内容、摂取量、または食後の食器の状態を示す画像
（２）排泄が行なわれた時間、量または状態
（３）バイタルデータ（血圧（収縮期、拡張期、脈圧）、心拍数（または脈拍数）、尿量、呼吸状態（呼吸回数、呼吸パターン、ＳｐＯ２）、意識状態（興奮系、朦朧系もしくは昏睡）、体温）
（４）おやつを食した時間、内容または量
（５）定期的にまたは臨時に薬が投与された時刻、当該薬の種類または量
（６）口腔ケア（歯磨きなど）が行なわれた時刻または口腔ケアの内容
（７）水分補給が行なわれた時刻または補給された水分の量
（８）個別訓練（例えば、歩行訓練など）が行なわれた時刻またはその状態
［機能構成］
（１）ある局面において、ＣＰＵ１は、ハードディスク５にアクセスして、予め定められた期間に複数回計測された介護者の複数のバイタルデータをハードディスク５から読み出す。ＣＰＵ１は、予め定められた抽出基準に基づいて、複数のバイタルデータから１つ以上の特徴的なバイタルデータを抽出する。抽出基準の一例は、あるケア項目について、ある指定された期間に記録された複数のデータから、最大値、最小値、最古値、最終値または各データの変化の傾向が変化した値の少なくともいずれかを抽出することである。抽出基準は、管理サーバー２００の使用者（例えば、管理者、介護者、医療従事者等）によって指定され得る。さらに、ＣＰＵ１は、抽出された複数の特徴的なバイタルデータをモニター８に表示する。
【００６６】
（２）他の局面において、ＣＰＵ１は、予め定められた期間に計測されたバイタルデータの数が予め定められた数以下である場合には、全ての計測値をモニター８に表示する。予め定められた数は、当該計測値に応じて管理者によって設定され得る。例えば、予め定められた数は、介護者の状態を推測するための各値（例えば、最大値、最小値、最古値、最終値、変化の傾向を表わす値）の数（すなわち「５」）に応じて決められ得る。
【００６７】
（３）他の局面において、ＣＰＵ１は、１つ以上のバイタルデータとして、介護者の体温、最高血圧、最低血圧、呼吸数、脈拍数の少なくともいずれかをモニター８に表示し得る。別の局面において、ＣＰＵ１は、複数のケア項目のうちの二つのケア項目のデータまたは内容を、同一の時間軸に関連付けて表示し得る。このようにすると、介護者は、複数種類のケア項目の推移を見ることで、入居者の状態を複眼的に確認して、より適切な状況判断を行なうことができるので、当該入居者へのケアの内容または質も向上し得る。
【００６８】
（４）他の局面において、ＣＰＵ１は、ある指定された期間における、各バイタルデータの最大値、最小値、最新値、最古値、および、当該バイタルデータの変化の傾向が変った時点の値のいずれかを表示し得る。
【００６９】
（５）ある局面において、予め定められた期間は、一日、一週間、一ヶ月等であってもよい。ＣＰＵ１は、モニター８に、１つ以上のバイタルデータの計測値と、当該バイタルデータが取得された時刻とを表示する。この期間は、介護者その他の使用者の操作に応じて変更できる。これにより、介護者は、入居者の状況に応じて異なる期間のバイタルデータを確認できるので、より的確なケアを行なうことができる。
【００７０】
（６）ある局面において、ＣＰＵ１は、当該入居者の一日の行動を表わす情報を、特徴的なバイタルデータと共にモニター８に表示する。
【００７１】
（７）ある局面において、ＣＰＵ１は、当該入居者の一日の行動を表わす情報として、食事の量、水分摂取量、服薬量、運動の内容および量、および排泄の量のいずれかをモニター８に表示し得る。さらに別の局面において、一日の行動を表わす情報は、徘徊の有無、転倒の有無、複数の入居者がいる場所に置いて観察された記録等も含み得る。これらの情報は、その日のケア項目のデータに関連付けて表示され得る。これにより、介護者は、当該入居者の状態を精度よく判断することが可能となる。
【００７２】
（８）ある局面において、ＣＰＵ１は、タイムスパンの異なる２つの期間で、モニター８における表示を切り替えることができる。例えば、ＣＰＵ１は、ある入居者について複数日の検査結果が表示されている状態から、介護者の選択操作に応答して、いずれか一日の検査結果を詳細に表示し得る。別の局面において、ＣＰＵ１は、指定された一日における特徴的なバイタルデータを表示することと、指定された一週間における特徴的なバイタルデータを表示することとの間で表示を切り替える。このような構成により、入居者の状態に応じて確認の期間を変更できるので、介護者は、適切なフィードバックを当該入居者に与えることができる。
【００７３】
（９）別の局面において、ＣＰＵ１は、抽出対象となるケア項目の選択を受け付ける。ＣＰＵ１は、さらに、選択されたケア項目のデータにアクセスする。このような構成により、管理サーバー２００は、使用者の要求に応じてケア項目のデータをハードディスク５から読み出してモニター８に表示するので、使用者は、求める情報を速やかに確認することができる。
【００７４】
（１０）さらに別の局面において、ＣＰＵ１は、ケア項目のデータが予め定められた基準から逸脱したことに基づいて、当該ケア項目を選択対象としてモニター８に表示する。このような構成によれば、介護者は、モニター８を見ながら特に確認すべきケア項目を直ぐに選択することができるので、速やかな対応が可能となる。
【００７５】
［データ構造］
図５を参照して、クラウドサーバー１５０におけるデータ構造について説明する。図５は、クラウドサーバー１５０が備えるハードディスク５におけるデータの格納の一態様を表わす図である。ハードディスク５は、テーブル５００を含む。テーブル５００は、入居者ＩＤ５１０と、年月日５２０と、日時５３０と、検査項目５４０と、値５５０とを含む。
【００７６】
入居者ＩＤ５１０は、各検索項目が検査された入居者（例えば、被介護者）を識別する。年月日５２０は当該検査が行なわれた年月日を特定する。日時５３０は当該検査が行なわれた日時を特定する。検査項目５４０は、当該検査の対象となる項目を特定する。値５５０は、当該検査によって取得された値を表わす。
【００７７】
ある局面において、各入居者は、項目毎に定められたタイミングにしたがって検査され、検査結果（測定値等）は、クラウドサーバー１５０に送られる。検査されるタイミングは、例えば、１時間毎、２時間毎等のように規定される。別の局面において、各項目は、継続して監視されており、その検査結果は、当該測定値が予め定められた範囲または上限値もしくは下限値を超えた場合に、クラウドサーバー１５０に送られてもよい。
【００７８】
図６〜図８を参照して、特徴的な値について説明する。図６は、検査によって取得された体温を計測時間に応じてプロットした状態を表わすグラフである。点６１０は、ある一日（２４時間）における最も高い体温を表わす。点６２０は、その一日における最も低い体温を表わす。点６３０は、その一日において最後に計測された体温（最終値）を表わす。点６４０は、その一日において体温の変化の傾向が最も大きいことが観測された時の体温を表わす。点６５０は、その一日において最初に計測された体温（最古値）を表わす。このような５つの点に基づけば、当該入居者の一日における体温の推移の傾向を把握することが可能となる。
【００７９】
図７は、別の局面において検査によって取得された体温を計測時間に応じてプロットした状態を表わすグラフである。点７１０は、ある一日において最も高い体温である。点７２０は、その一日において最も低い体温である。点７３０は、その一日において最後に計測された体温である。点７５０は、その一日において体温の変化の傾向が最も大きいことが観測された時の体温を表わす。図７に示される例では、点７１０の体温が最古値であるともいえる。図７に示されるパターンの場合では、特徴的な体温として４つが抽出されるが、４つの体温でも、その入居者のバイタルサインとして大凡の傾向を把握することができる。
【００８０】
図８は、さらに別の局面において検査によって取得された体温を計測時間に応じてプロットした状態を表わすグラフである。点８１０は、ある一日における体温の最大値を表わす。点８２０は、その一日における体温の最小値を表わす。点８３０は、その一日の最後の体温（最終値）を表わす。点８４０は、その一日の最初の値（最古値）を表わす。図８に示される例では、当該入居者のバイタルサインの変化の傾向を容易に把握できない可能性もあり得るが、このような例はまれな例と考えられる。また、このようなパターンが発生した場合には、個別の判断を介護者に促すことにより、必要な対応や処置を執りやすくなる。
【００８１】
［制御構造］
図９を参照して、本実施の形態に係る管理サーバー２００の制御構造について説明する。図９は、管理サーバー２００が備えるＣＰＵ１が実行する処理の一部を表わすフローチャートである。以下の処理は、表示対象となる入居者が選択されている場合において表示の命令が管理サーバー２００に与えられた場合に実行される。
【００８２】
ステップＳ９１０にて、ＣＰＵ１は、表示対象となるバイタルデータの数が予め設定された数以上であるか否かを判断する。当該予め設定された値は、例えば、「５」であるが、その他の数値が設定されてもよい。ＣＰＵ１は、当該バイタルデータの数が予め設定された値より大きい（例えば、「５」以上）と判断すると、制御をステップＳ９２０に切り替える。そうでない場合（例えば、バイタルデータの数が「５」未満の場合）には、ＣＰＵ１は、制御をステップＳ９４０に切り替える。
【００８３】
ステップＳ９２０にて、ＣＰＵ１は、自動選択を行ない、より具体的には、表示対象となるバイタルデータから予め定められた基準に従って抽出される５値を選択する。当該５値は、例えば、あるバイタルサインを示す最大値、最小値、最古値、最終値、および、傾向の変化を表わす値を含む。
【００８４】
ステップＳ９３０にて、ＣＰＵ１は、自動選択したデータを表示対象として、モニター８にグラフを表示する。
【００８５】
ステップＳ９４０にて、ＣＰＵ１は、当該入居者に関連して計測された全てのデータをモニター８に表示する。
【００８６】
［画面の表示態様］
図１０を参照して、管理サーバー２００における画面の表示態様について説明する。図１０は、管理サーバー２００が備えるモニター８に表示される画面の一例を表わす図である。ある局面において、介護者あるいは医療関係者は、管理サーバー２００に対して、入居者および日付を指定すると、モニター８は、指定された入居者について、指定された日付から８日分の検査結果あるいは介護者によって入力された各種データの特徴的な値（例えば、最大値、最小値、最古値、最終値、および傾向の変化を表わす値）を表示する。
【００８７】
例えば、モニター８は、呼吸数、体温、脈拍、血中酸素濃度、最高血圧値、および最低血圧値の各々について、上述のような特徴値（最大値、最小値、最古値、最終値、および傾向の変化を表わす値）を表示する。さらに、モニター８は、食事の時間、食事の量、水分摂取量、排泄状態等を表示し得る。介護者あるいは医療関係者は、モニター８に表示される特徴値やその他の情報を確認することで、当該入居者の状態の変化を推測することができる。
【００８８】
図１１を参照して、他の局面に従う画面の表示態様について説明する。図１１は、他の局面においてモニター８に表示される画面の一例を表わす図である。モニター８は、画面１１１０を表示する。画面１１１０は、例えば、表１１２０の形式で、各入居者について、ある一日の検査結果および入力結果を表示する。検査結果は上述のバイタルサインを含む。入力結果は、介護者によって入力された情報であり、食事の時間および量、水分摂取量、排泄の状態および量、運動の有無などを示す情報を含む。
【００８９】
介護者を含む管理サーバー２００のユーザーは、画面１１１０から一人の入居者を指定すると、その入居者についての情報をより詳細に確認することができる。例えば、介護者が表１１２０からいずれかの入居者のデータ行を選択すると、モニタ−８は、その選択されたデータ行を拡大して拡大画面１１３０として、ポップアップ表示する。介護者が拡大画面１１３０をダブルクリック等することにより続行の指令を管理サーバー２００に与えると、モニター８は、当該入居者についての詳細画面１１４０を表示する。詳細画面１１４０は、上記指定された入居者について当該ある一日における検査結果などを含む。この検査結果は、図１０に示される画面を表示するために使用されたデータに基づいて行なわれる。
【００９０】
図１２は、他の局面にしたがって表示される画面の一例を表わす図である。図１２では、指定された期間として２週間の検査結果が表示される。検査結果が表示される期間は、介護者その他のユーザーによって適宜変更可能である。なお、食事のデータに関し、「１０／１０」とあるのは、当該入居者が完食した場合を表わし、「１０／３」は、分量１０に対して摂取された量が３であることを表わす。
【００９１】
図１３は、さらに別の局面にしたがってモニター８に表示される画面を表わす。モニター８は、介護者の命令に応答して、ある入居者について指定されたある一日に記録されているデータを表示し得る。図１３に示される画面は、図１２に示される画面からいずれか一日を選択することにより、あるいは、図１１に示される詳細画面１１４０をダブルクリック等することにより、表示される。
【００９２】
図１４は、さらに別の局面にしたがってモニター８に表示される画面を表わす図である。図１４に示される画面は、図１３に示される画面から特定の期間におけるケア項目のデータを表示する指示が管理サーバー２００に与えられた場合に実行される。特定の期間は、例えば、ウィークリー、マンスリーのような一定期間と、カスタムとして使用者が指定する期間とのいずれであってもよい。このような構成によれば、入居者の状況に応じて介護者は各ケア項目のデータを確認する期間を調整できるので、入居者に応じたケアを行なうことができる。また、複数の日を含む期間におけるケア項目のデータがモニター８に表示されるので、介護者は、個別の日のデータをつなげてチャートを作成すると言った業務から解放され、入居者の日々の変化を把握しやすくなる。
【００９３】
以上のようにして、本実施の形態によれば、発熱時など体調変化の監視が必要な入居者に対し、介護者その他のスタッフは、画面に表示される各種ケア項目の特徴的なデータを見ることにより、当該入居者の体調の変化を読み取ることができる。また、用紙に記録することなく、必要に応じて必要なデータが提示されるため、記録用紙の保存など管理業務が削減され得る。
【００９４】
また、入居者は、各ケア項目のデータの推移から入居者の体調の変化を把握しやすくなるので、日々のケアに対するフィードバックが可能となるので、入居者に応じたケアを行なうことができる。例えば、複数の日の各々について、最大値、最小値、最古値、最終値、変化率が大きい値のように、特徴的なデータが抽出されてモニター８に表示される。そして、あるケア項目の情報が他のケア項目の情報に時間を介して関連付けられる。その結果、介護者は、ある入居者の状態の変化を複数の情報を考慮して推定することが可能となるので、適切なケアを取りやすくなる。
【００９５】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【００９６】
２  マウス、３  キーボード、４，１０３，２２３  ＲＡＭ、５  ハードディスク、６  光ディスク駆動装置、７，１０４，２２４  通信インターフェイス、８  モニター、９，１０２，２２２  ＲＯＭ、１００  システム、１０１，２２１  制御装置、１０５  カメラ、１０６  ドップラーセンサー、１０７  無線通信装置、１０８，２２８  記憶装置、１１０，１２０  居室、１１１，１２１，ＩＤ５１０  入居者、１１２  タンス、１１３  ベッド、１１４  トイレ、１１５，２４０  ケアコール子機、１１６  トイレセンサー、１１７  センサー、１１８  ドアセンサー、１１９  センサーボックス、１３０  管理センター、１４０  アクセスポイント、１４１，１４２  介護者、１４３，１４４  携帯端末、１５０  クラウドサーバー、１８０  居室領域、１９０  ネットワーク、２００  管理サーバー、２２６  ディスプレイ、２２９  入力デバイス、２４１  ケアコールボタン、２９０  バイタルセンサー、３００  コンピューターシステム、４１０  範囲、５００  テーブル、５２０  年月日、５３０  日時、５４０  検査項目、５５０  値、６１０，６２０，６３０，６４０，６５０，７１０，７２０，７３０，７５０，８１０，８２０，８３０，８４０  点、１１１０  画面、１１３０  拡大画面、１１４０  詳細画面。
【図１】
2020137061.tif 000003
【図２】
2020137061.tif 000004
【図３】
2020137061.tif 000005
【図４】
2020137061.tif 000006
【図５】
2020137061.tif 000007
【図６】
2020137061.tif 000008
【図７】
2020137061.tif 000009
【図８】
2020137061.tif 000010
【図９】
2020137061.tif 000011
【図１０】
2020137061.tif 000012
【図１１】
2020137061.tif 000013
【図１２】
2020137061.tif 000014
【図１３】
2020137061.tif 000015
【図１４】
2020137061.tif 000016
【国際調査報告】
2020137061.tif 000017
2020137061.tif 000018
2020137061.tif 000019